【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
印刷データに従って印刷処理を行う際に消費を伴う印刷装置において、
年月日を認識する時計手段と、
期初日を設定する期初日設定手段と、
前記印刷装置への電源投入を行った装置使用日を含む月における消費するものの月間消費量を計算する計算手段と、
前記計算手段により計算された結果の前記月間消費量を記憶する記憶手段と、
を有し、
該計算手段は、前記装置使用日が前記当該月において初めての電源投入日であるとき、前記装置使用日以前の最も新しい月間消費量の記録がある月の月間消費量情報を基準にして前月までの月間消費量の計算を行い前記記憶手段に記憶することを特徴とする印刷装置。
【請求項２】
印刷データに従って印刷処理を行う印刷装置において、
年月日を認識する時計手段と、
期初日を設定する期初日設定手段と、
前記印刷装置への電源投入を行った装置使用日が含まれる当該月の月間印刷枚数を計算する計算手段と、
前記計算手段により計算された結果の前記月間印刷枚数を記憶する記憶手段と、
を有し、
該計算手段は、前記装置使用日が前記当該月において初めての最初の装置電源投入日であるとき、前記装置使用日以前の最も新しい月間印刷枚数の記録がある月の月間印刷枚数情報を基準にして前月までの月間印刷枚数の計算を行い前記記憶手段に記憶することを特徴とする印刷装置。
【請求項３】
前記前月の月間印刷枚数の計算は、前々月までの装置の総印刷枚数から現在の装置の総印刷枚数を減算した印刷枚数であることを特徴とする請求項２記載の印刷装置。
【請求項４】
前記計算手段が行う月間印刷枚数の計算処理は、装置への電源投入の際の初期設定処理にて実行されることを特徴とする請求項２、又は３記載の印刷装置。
【請求項５】
前記期初日を含む月を期初月とし、該期初月から１２ヶ月後の月を期末月に設定する設定手段と、
前記装置使用日を含む年を当年度とし、該当年度の前の年度を前年度とするとき、前記前月が前年度の期末月であるとき、前記前年度の年間印刷枚数の計算を行うことを特徴とする請求項２、３、又は４記載の印刷装置。
【請求項６】
印刷データに従って印刷処理を行い、
期初日を設定する期初日設定処理と、
装置への電源投入を行った装置使用日に各月の月間印刷枚数を計算する計算処理を行い、
該計算処理は、前記装置使用日が各月の最初の装置電源投入日であるとき、前記装置使用日以前の最も新しい月間印刷枚数の記録がある月の月間印刷枚数情報を基準にして前月までの月間印刷枚数の計算を行うことを特徴とする印刷制御方法。
【請求項７】
印刷データに従って印刷処理を行い、
期初日を設定する期初日設定処理と、
装置への電源投入を行った装置使用日に各月の月間印刷枚数を計算する計算処理を行い、
該計算処理は、前記装置使用日が各月の最初の装置電源投入日であるとき、前月の月間印刷枚数の計算を行い、該前月の月間印刷枚数の記録がないとき、前記装置使用日以前の最も新しい月間印刷枚数の記録がある月の情報を基準にして前月までの月間印刷枚数の計算を行うプログラムであって、
印刷処理装置が実行可能なプログラム。
【請求項８】
印刷装置とホスト機器がネットワークを介して接続された印刷システムにおいて、
前記印刷装置は、
年月日を認識する時計手段と、
期初日を設定する期初日設定手段と、
前記期初日を含む月を期初月とし、該期初月から１２ヶ月後の月を期末月に設定する設定手段と、
前記印刷装置への電源投入を行った装置使用日に各月の月間消費量を計算する計算手段と、
前記計算手段により計算された結果の月間消費量を記憶する記憶手段と、
を有し、
該計算手段は、前記装置使用日が各月の最初の装置電源投入日であるとき、前月の月間消費量の計算を行い、該前月の月間消費量の記録がないとき、前記装置使用日以前の最も新しい月間消費量の記録がある月の情報を基準にして前月までの月間消費量の計算を行い計算結果を前記記憶手段に記憶し、
前記ホスト機器は、前記印刷装置から記憶されている前記月間消費量の情報を取得し、表示部に表示することを特徴とする印刷システム。
【請求項９】
印刷装置とホスト機器がネットワークを介して接続された印刷システムにおいて、
前記印刷装置は、
期初日を設定する期初日設定手段と、
前記期初日を含む月を期初月とし、該期初月から１２ヶ月後の月を期末月に設定する設定手段と、
装置への電源投入を行った装置使用日に各月の月間印刷枚数を計算する計算手段と、
前記計算手段により計算された結果の月間印刷枚数を記憶する記憶手段と、
を有し、
該計算手段は、前記装置使用日が各月の最初の装置電源投入日であるとき、前月の月間印刷枚数の計算を行い、該前月の月間印刷枚数の記録がないとき、前記装置使用日以前の最も新しい月間印刷枚数の記録がある月の情報を基準にして前月までの月間印刷枚数の計算を行い計算結果を前記記憶手段に記憶し、
前記ホスト機器は、前記印刷装置から記憶されている前記月間印刷枚数の情報を取得し、表示部に表示することを特徴とする印刷システム。
【請求項１０】
前記ホスト機器は、複数の前記印刷装置より記憶されている月間消費量もしくは月間印刷枚数の情報を取得し、期初月から期末月までの１年分の情報を一覧表示することを特徴とする請求項８又は請求項９記載の印刷システム。
【請求項１１】
印刷データに従って印刷処理を行う印刷装置において、
年月日を認識する時計手段と、
期初日を設定する期初日設定手段と、
期初日を基準にして定義される「所定の期間」ごとに１つのログ情報を記憶するログ記憶手段と、
期初日と前記時計手段から取得した本日の日付より「所定の期間」が変わったかどうか判断する判断手段と、
を備え、
前記判断手段により、「所定の期間」が変わったと判断した場合、期初日と本日の日付より現在の期間を求め、現在の期間の１つ前の期間のログを、ログ記憶手段に保存する
ことを特徴とする印刷装置。
【請求項１２】
前記、「所定の期間」が変わったかどうか判断する判断手段は、
期初日を基準にして、前記時計手段から取得した本日の日付より現在の期間を求め、現在の期間の１つ前の期間のログデータがログ記憶手段に保存されているか否かを調べ、保存されていない場合「所定の期間」が変わったと判断する
ことを特徴とする請求項１０記載の印刷装置。
【請求項１３】
前記消費量は、印刷用紙の消費量であることを特徴とする請求項１，８，または１０記載の印刷装置。
【請求項１４】
前記消費量は、印刷装置が消費する電力消費量であることを特徴とする請求項１，８，または１０記載の印刷装置。
【請求項１５】
前記消費量は、印刷装置が使用する消耗品の消費量であることを特徴とする請求項１，８，または１０記載の印刷装置。
【手続補正２】
【補正対象書類名】明細書
【補正対象項目名】０００５
【補正方法】変更
【補正の内容】
【０００５】
上記課題は第１の発明によれば、印刷データに従って印刷処理を行う際に消費を伴う印刷装置において、年月日を認識する時計手段と、期初日を設定する期初日設定手段と、前記印刷装置への電源投入を行った装置使用日を含む月における消費するものの月間消費量を計算する計算手段と、前記計算手段により計算された結果の前記月間消費量を記憶する記憶手段と、を有し、該計算手段は、前記装置使用日が前記当該月において初めての電源投入日であるとき、前記装置使用日以前の最も新しい月間消費量の記録がある月の月間消費量情報を基準にして前月までの月間消費量の計算を行い前記記憶手段に記憶する印刷装置を提供することによって達成できる。
【手続補正３】
【補正対象書類名】明細書
【補正対象項目名】０００６
【補正方法】変更
【補正の内容】
【０００６】
また、第２の発明によれば、印刷データに従って印刷処理を行う印刷装置において、年月日を認識する時計手段と、期初日を設定する期初日設定手段と、前記印刷装置への電源投入を行った装置使用日が含まれる当該月の月間印刷枚数を計算する計算手段と、前記計算手段により計算された結果の前記月間印刷枚数を記憶する記憶手段と、を有し、該計算手段は、前記装置使用日が前記当該月において初めての最初の装置電源投入日であるとき、前記装置使用日以前の最も新しい月間印刷枚数の記録がある月の月間印刷枚数情報を基準にして前月までの月間印刷枚数の計算を行い前記記憶手段に記憶する印刷装置を提供することによって達成できる。
【手続補正４】
【補正対象書類名】明細書
【補正対象項目名】０００８
【補正方法】変更
【補正の内容】
【０００８】
また、第５の発明によれば、前記期初日を含む月を期初月とし、該期初月から１２ヶ月後の月を期末月に設定する設定手段と、前記装置使用日を含む年を当年度とし、該当年度の前の年度を前年度とするとき、前記前月が前年度の期末月であるとき、前記前年度の年間印刷枚数の計算を行う印刷装置を提供することによって達成できる。
【手続補正５】
【補正対象書類名】明細書
【補正対象項目名】０００９
【補正方法】変更
【補正の内容】
【０００９】
また、第６の発明によれば、印刷データに従って印刷処理を行い、期初日を設定する期初日設定処理と、装置への電源投入を行った装置使用日に各月の月間印刷枚数を計算する計算処理を行い、該計算処理は、前記装置使用日が各月の最初の装置電源投入日であるとき、前月の月間印刷枚数の計算を行い、該前月の月間印刷枚数の記録がないとき、前記装置使用日以前の最も新しい月間印刷枚数の記録がある月の月間印刷枚数情報を基準にして前月までの月間印刷枚数の計算を行う印刷制御方法を提供することによって達成できる。
【手続補正６】
【補正対象書類名】明細書
【補正対象項目名】００１０
【補正方法】変更
【補正の内容】
【００１０】
また、第７の発明によれば、印刷データに従って印刷処理を行い、期初日を設定する期初日設定処理と、装置への電源投入を行った装置使用日に各月の月間印刷枚数を計算する計算処理を行い、該計算処理は、前記装置使用日が各月の最初の装置電源投入日であるとき、前月の月間印刷枚数の計算を行い、該前月の月間印刷枚数の記録がないとき、前記装置使用日以前の最も新しい月間印刷枚数の記録がある月の情報を基準にして前月までの月間印刷枚数の計算を行うプログラムであって、印刷処理装置が実行可能なプログラムを提供することによって達成できる。
【手続補正７】
【補正対象書類名】明細書
【補正対象項目名】００１１
【補正方法】変更
【補正の内容】
【００１１】
また、第８の発明によれば、印刷装置とホスト機器がネットワークを介して接続された印刷システムにおいて、前記印刷装置は、年月日を認識する時計手段と、期初日を設定する期初日設定手段と、前記期初日を含む月を期初月とし、該期初月から１２ヶ月後の月を期末月に設定する設定手段と、前記印刷装置への電源投入を行った装置使用日に各月の月間消費量を計算する計算手段と、前記計算手段により計算された結果の月間消費量を記憶する記憶手段と、を有し、該計算手段は、前記装置使用日が各月の最初の装置電源投入日であるとき、前月の月間消費量の計算を行い、該前月の月間消費量の記録がないとき、前記装置使用日以前の最も新しい月間消費量の記録がある月の情報を基準にして前月までの月間消費量の計算を行い、前記ホスト機器は、前記印刷装置から前記月間消費量の情報を取得し、表示部に表示する印刷システムを提供することによって達成できる。
【手続補正８】
【補正対象書類名】明細書
【補正対象項目名】００１２
【補正方法】変更
【補正の内容】
【００１２】
また、第９の発明によれば、印刷装置とホスト機器がネットワークを介して接続された印刷システムにおいて、前記印刷装置は、期初日を設定する期初日設定手段と、前記期初日を含む月を期初月とし、該期初月から１２ヶ月後の月を期末月に設定する設定手段と、装置への電源投入を行った装置使用日に各月の月間印刷枚数を計算する計算手段と、前記計算手段により計算された結果の月間印刷枚数を記憶する記憶手段と、を有し、該計算手段は、前記装置使用日が各月の最初の装置電源投入日であるとき、前月の月間印刷枚数の計算を行い、該前月の月間印刷枚数の記録がないとき、前記装置使用日以前の最も新しい月間印刷枚数の記録がある月の情報を基準にして前月までの月間印刷枚数の計算を行い、前記ホスト機器は、前記印刷装置から記憶されている前記月間印刷枚数の情報を取得し、表示部に表示する印刷システムを提供することによって達成できる。
【手続補正９】
【補正対象書類名】明細書
【補正対象項目名】００１３
【補正方法】変更
【補正の内容】
【００１３】
また、第１０の発明によれば、前記ホスト機器は、複数の前記印刷装置より記憶されている月間消費量もしくは月間印刷枚数の情報を取得し、期初月から期末月までの１年分の情報を一覧表示する印刷システムを提供することによって達成できる。
また、第１１の発明によれば、印刷データに従って印刷処理を行う印刷装置において、
年月日を認識する時計手段と、期初日を設定する期初日設定手段と、期初日を基準にして定義される「所定の期間」ごとに１つのログ情報を記憶するログ記憶手段と、期初日と前記時計手段から取得した本日の日付より「所定の期間」が変わったかどうか判断する判断手段と、を備え、前記判断手段により、「所定の期間」が変わったと判断した場合、期初日と本日の日付より現在の期間を求め、現在の期間の１つ前の期間のログを、ログ記憶手段に保存する印刷装置を提供することによって達成できる。
また、第１２の発明によれば、第１１の発明の印刷装置において、前記「所定の期間」が変わったかどうか判断する判断手段は、期初日を基準にして、前記時計手段から取得した本日の日付より現在の期間を求め、現在の期間の１つ前の期間のログデータがログ記憶手段に保存されているか否かを調べ、保存されていない場合「所定の期間」が変わったと判断する印刷装置を提供することによって達成できる。